(57)【要約】【課題】部品点数が少なくて済み、使用者の使い勝手も向上するブレーカ復帰装置及びそれを用いた調理器を提供する。【解決手段】モータ２を内蔵する本体１と、この本体１から露出する入操作部と切操作部１３ａを有してモータ２を駆動停止するスイッチ機構１２と、モータ２が過負荷状態になった際に通電を遮断すると共に復帰用操作部２０を有するブレーカ１９と、切操作部１３ａの操作に連動してブレーカ１９の復帰用操作部２０を操作する連動機構（突起２１）とを備えた。【選択図】        図５
2004254982.tif 000002
【特許請求の範囲】
【請求項１】
モータが過負荷状態になった際に通電を遮断するブレーカの復帰用操作部を、前記モータの駆動を停止する切操作部の操作に連動して操作する連動機構を備えたことを特徴とするブレーカ復帰装置。
【請求項２】
モータを内蔵する本体と、この本体から露出する入操作部と切操作部を有して前記モータを駆動停止するスイッチ機構と、前記モータが過負荷状態になった際に通電を遮断すると共に復帰用操作部を有するブレーカと、前記切操作部の操作に連動して前記ブレーカの復帰用操作部を操作する連動機構とを備えたことを特徴とする調理器。
【請求項３】
前記入操作部を操作状態に保持すると共に切操作部の操作によって入操作部の操作状態が解除されるロック手段を有することを特徴とする請求項２記載の調理器。
【請求項４】
前記ブレーカを前記スイッチ機構のスイッチベースに取り付けたことを特徴とする請求項２又は請求項３記載の調理器。
【請求項５】
前記ブレーカを前記切操作部の脚部の近傍に取り付け、前記切操作部の脚部に前記ブレーカの復帰用操作部を押圧する押圧部を形成したことを特徴とする請求項２ないし請求項４のいずれかに記載の調理器。
【請求項６】
前記本体を略円錐台状に形成し、その側面から入操作部と切操作部が露出するように本体内に取り付けられたスイッチ機構の下部空間に前記ブレーカを配置したことを特徴とする請求項２ないし請求項５のいずれかに記載の調理器。
【発明の詳細な説明】
【０００１】
【発明の属する技術分野】
本願発明は、モータの焼損を防止するブレーカの復帰装置及びそれを用いた調理器に関するものである。
【０００２】
【従来の技術】
従来、例えば、果物や野菜等を牛乳やスープ等の液体と粉砕混合してジュースやスープを生成するミキサー等の調理器において、調理中に、材料を入れた容器内で材料がうまく対流せずカッターがロック状態となった場合などには、モータに過負荷がかかった状態になり、この状態が継続するとモータが焼損する畏れがあるため、モータに過負荷がかかった場合に強制的に通電を遮断してモータの破損を防止するブレーカと、このブレーカを復帰させるための復帰手段（リセットボタン）を備えたものが知られている。
【０００３】
また、ミキサー等の調理器においては、一般的に、運転スイッチ（入ボタン）を操作状態，すなわち押圧状態に保持するための保持機構（ロック手段）が設けられているが、上記の如く、ブレーカが作動して通電が遮断された後、再度調理を行うためにリセットボタンを操作する際、運転スイッチが操作状態に保持されたままでブレーカが復帰操作されると、突然モータが駆動されてカッターが回転し、危険である。
【０００４】
このような危険を回避するため、リセットボタンを押圧することにより、ブレーカの復帰操作と運転スイッチの保持解除操作とを同時に行うように構成し、リセットボタンを押した際に運転スイッチをＯＦＦ状態とすることにより、突然カッターが回転して使用者が怪我するなどの不都合を防止し、安全性を向上できるように構成したものが知られている（例えば、特許文献１参照）。
【０００５】
【特許文献１】
実開昭６０−８６２４２号公報（図２）
【０００６】
【発明が解決しようとする課題】
しかしながら、上記の構成では、モータの入・切ボタンの他にリセットボタンの部品が必要となり、部品点数が多くなることに加え、使用者の使い勝手も悪いという課題があった。
【０００７】
そこで、本願発明はこのような課題を解決するためになされたものであり、部品点数が少なくて済み、使用者の使い勝手も向上するブレーカ復帰装置及びそれを用いた調理器を提供することを目的とするものである。
【０００８】
【課題を解決するための手段】
上記のような目的を達成するために、本願発明によるブレーカ復帰装置は、モータが過負荷状態になった際に通電を遮断するブレーカの復帰用操作部を、前記モータの駆動を停止する切操作部の操作に連動して操作する連動機構を備えたことを特徴とするものである。
【０００９】
一方、本願発明による調理器は、モータを内蔵する本体と、この本体から露出する入操作部と切操作部を有して前記モータを駆動停止するスイッチ機構と、前記モータが過負荷状態になった際に通電を遮断すると共に復帰用操作部を有するブレーカと、前記切操作部の操作に連動して前記ブレーカの復帰用操作部を操作する連動機構とを備えたことを特徴とするものである。
【００１０】
また、前記入操作部を操作状態に保持すると共に切操作部の操作によって入操作部の操作状態が解除されるロック手段を有することを特徴とするものである。
【００１１】
さらに、前記ブレーカを前記スイッチ機構のスイッチベースに取り付けたことを特徴とするものである。
【００１２】
また、前記ブレーカを前記切操作部の脚部の近傍に取り付け、前記切操作部の脚部に前記ブレーカの復帰用操作部を押圧する押圧部を形成したことを特徴とするものである。
【００１３】
また、前記本体を略円錐台状に形成し、その側面から入操作部と切操作部が露出するように本体内に取り付けられたスイッチ機構の下部空間に前記ブレーカを配置したことを特徴とするものである。
【００１４】
【発明の実施の形態】
以下、本願発明に関する実施形態をミキサーを例として図面を参照して詳細に説明する。
【００１５】
図１，図２に示すように、本実施形態のミキサーは、駆動源であるモータ２等を内蔵する略円錐台状の本体１と、この本体１上に載置されるボトル台３と、このボトル台３に下部開口側が着脱可能に密閉装着され、側面側に取手部４を有すると共に上部開口が蓋５で開閉自在に密閉されるミキサーボトル６等から成っている。
【００１６】
本体１の上面には、モータ２の回転軸７が突出し、この回転軸７にジョイント部材８が取り付けられている。
【００１７】
また、ボトル台３の上面には、カッター９が設けられて、このカッター９の回転軸１０がボトル台３の下面に突出してジョイント部材１１が取り付けられており、このボトル台３を本体１上に載置することにより、本体側ジョイント部材８とボトル台側ジョイント部材１１が係合して、モータ２によりカッター９が回転駆動される。
【００１８】
このように、ボトル台３に着脱可能に密閉装着されるミキサーボトル６内でカッター９が回転することにより、ミキサーボトル６内に投入された調理材料を切削対流させるようになっている。
【００１９】
一方、本体１内の前部には、モータ２への通電を制御するスイッチユニット（スイッチ機構）１２が斜め上向きに傾斜した状態に取り付けられている。このスイッチユニット１２には、本体１前面側に斜め上向きに露出して、モータ２の駆動を停止するための切ボタン１３ａと、モータ２を連続駆動するための入ボタン１３ｂと、モータ２を断続駆動するためのフラッシュボタン１３ｃが備えられている。
【００２０】
上記切ボタン１３ａ，入ボタン１３ｂ，フラッシュボタン１３ｃは、図６に示すように、スイッチユニット１２にそれぞれ対応して設けられた脚部１４ａ，１４ｂ，１４ｃの上端に各々取り付けられており、各脚部１４ａ〜１４ｃに装着されたバネ（図示せず）により本体１前面から突出する方向に付勢されている。
【００２１】
また、これら切ボタン１３ａ，入ボタン１３ｂ，フラッシュボタン１３ｃには、各々下部外周に鍔部１５が形成されており、本体１外面に液体をこぼした場合でも、本体１と各ボタン１３ａ〜１３ｃとの隙間から浸入した液体がスイッチユニット１２にかかるのを防止して、接触不良等の故障の発生を防止できるようになっている。
【００２２】
上記スイッチユニット１２には、図６，図７に示すように、水平方向に摺動可能なロックレバー１６が取り付けられて、図示しないバネにより図６，図７の右方向に付勢されている。そして、モータ２を連続駆動する入ボタン１３ｂを押圧することにより、入ボタン１３ｂの脚部１４ｂに形成された突部１７ｂがロックレバー１６の傾斜部１６ｂを押圧してロックレバー１６を左方向に摺動させ、傾斜部１６ｂの下側に形成された凹部１６ｄに引っ掛かることにより、入ボタン１３ｂが押圧状態に保持されるようになっている。また、この状態において、切ボタン１３ａ又はフラッシュボタン１３ｃを押圧することにより、それらの脚部１４ａ，１４ｃに形成された突部１７ａ，１７ｃがロックレバー１６の対応する傾斜部１６ａ，１６ｃを押圧してロックレバー１６を左方向に摺動させることにより、入ボタン１３ｂの突部１７ｂがロックレバー１６の凹部１６ｄから外れて入ボタン１３ｂの押圧状態が解除されるようになっている。
【００２３】
上記スイッチユニット１２は、前述したように、本体１内前部に傾斜した状態に配置されており、その下部空間を利用して延設されたスイッチベース（基板）１８にブレーカ１９が取り付けられている。このブレーカ１９は、上部に復帰用ボタン２０を備えており、調理中にミキサーボトル６内で材料がうまく対流せずカッター９がロック状態になった場合など、モータ２に過負荷がかかった状態が所定時間以上継続した際に、ブレーカ１９が作動して強制的にモータ２への通電を遮断し、モータ２の破損を防止すると共に、復帰用ボタン２０を押圧操作することによりブレーカ１９が復帰して通電されるようになっている。
【００２４】
上記ブレーカ１９は、図５，図６に示すように、切ボタン１３ａの脚部１４ａの近傍に取り付けられており、切ボタン１３ａの脚部１４ａには、切ボタン１３ａの押圧操作に連動してブレーカ１９の復帰用ボタン２０を押圧する突起（押圧部）２１が形成されている。
【００２５】
上記構成において、調理する際は、ミキサーボトル６をボトル台３に螺合密着して本体１上に載置し、ミキサーボトル６内に調理材料を投入して蓋５で密閉してから入ボタン１３ｂを押圧すると、入ボタン１３ｂの脚部１４ｂに形成した突部１７ｂが前述したようにしてロックレバー１６の凹部１６ｄに引っ掛かって入ボタン１３ｂの押圧状態が保持され、モータ２が連続駆動される。
【００２６】
そして、調理中にミキサーボトル６内で材料がうまく対流せずカッター９がロック状態になった場合など、モータ２に過負荷がかかった状態になると、ブレーカ１９が作動して通電が遮断され、モータ２が停止する。
【００２７】
再度調理する場合には、先ず切ボタン１３ａを押圧することにより、図７に示したように、切ボタン１３ａの脚部１４ａに形成した突部１７ａがロックレバー１６の対応する傾斜部１６ａを押圧してロックレバー１６を図７の左方向に摺動させることにより、入ボタン１３ｂの脚部１４ｂに形成した突部１７ｂがロックレバー１６の凹部１６ｄから外れて入ボタン１３ｂの押圧状態が解除され、入ボタン１３ｂはＯＦＦ状態となる。これとほぼ同時に、図５，図６等に示した切ボタン１３ａの脚部１４ａに形成した突起２１がブレーカ１９の復帰用ボタン２０を押圧するので、ブレーカ１９が復帰する。この状態で、入ボタン１３ｂやフラッシュボタン１３ｃを押圧するとモータ２が駆動するので、再度調理することが可能となる。
【００２８】
以上のように、入ボタン１３ｂの押圧状態のロックを解除する切ボタン１３ａの押圧操作に連動して、ブレーカ１９を復帰させることができ、モータ２への通電が遮断されるのとほぼ同時にブレーカ１９が復帰するので、突然カッター９が回転するような畏れがなくなり、安全で確実にブレーカ１９を復帰させることができる。
【００２９】
また、リセットボタン等を必要とせず、切ボタン１３ａの脚部１４ａに形成した突起２１によりブレーカ１９の復帰用ボタン２０を押圧するという簡単な構造であるため、部品点数も極めて少なくて済み、省スペースかつ安価に実現できる。
【００３０】
さらに、使用者にとって、切ボタン１３ａを押すだけで、ブレーカ１９も復帰させることができるので、操作が簡単で、使い勝手が向上する。
【００３１】
また、ブレーカ１９をスイッチユニット１２のスイッチベース１８に取り付けたことにより、本体１への取り付け時にブレーカ１９の取付位置の調整等が不要となるので、本体１の組み立てが容易になる。
【００３２】
さらに、ブレーカ１９を切ボタン１３ａの脚部１４ａの近傍に取り付け、切ボタン１３ａの脚部１４ａにブレーカ１９の復帰用ボタン２１を押圧する突起２１を形成したことにより、切ボタン１３ａの押圧操作でブレーカ１９の復帰用ボタン２０を直接押圧することができるので、動作がより確実になる。
【００３３】
また、本体１を略円錐台状に形成し、その側面から切ボタン１３ａや入ボタン１３ｂやフラッシュボタン１３ｃが露出するように本体１内に取り付けられたスイッチユニット１２の下部空間を有効利用して、ブレーカ１９を配置しているので、装置の小型化にとって有利となる。
【００３４】
なお、上記実施形態では、本願発明をミキサーに適用した場合について説明したが、本願発明はこれに限らず、ジューサ等にも適用可能である。
【００３５】
ところで、従来のミキサーにおいて、多くは電源コードが本体から出ているだけで、一時的にビニタイ（ビニール製の結束具）で束ねた状態で出荷されており、収納時、電源コードの取り扱いに困っていた（例えば実用新案登録第２５９９８６２号公報参照）。また、本体の底部や後部に内蔵したコードリールに巻き付けて収納するものもあったが、そうすると底部や後部に電源コードがくる分、本体の高さや奥行きが大きいものとなり、コンパクトさに欠けるという欠点があった（例えば特許登録第２８４０１５３号公報参照）。また、その他別部品で収納する方法もあったが、部品代の分コストが上がり、また、せっかくすっきりとした外観で本体が成り立っていても、別部品が突起物となって外観が損なわれたり、清掃が困難になるといった欠点があった。
【００３６】
そこで、本実施形態においては、前記構成に加えて、電源コードの収納を本体が大きくなることなく、また別部品を用いることなく簡易的に行うことを目的に、図８〜図１５に示すように、本体１側面下部に収納口３０が形成された収納部３１を設けて、電源コード３２を略円錐台状の本体１の外周に巻き付ける等して終端にある電源プラグ３３の先端部を収納口３０から差し込んで収納するようにしたものである。電源プラグ３３の先端部が入る収納口３０を有する簡易な収納部３１を設けるだけで、電源コード３２の終端の電源プラグ３３を固定した状態にして簡単に収納することができ、今まで本体１の収納時に困っていた電源コード３３の収納に役立つものとなる。なお、前記図１〜図７と同一符号は同一又は相当部分を示している。
【００３７】
具体的に説明すると、本体１の外郭を成す本体ケース１ａとボトムプレート１ｂの接合部において、本体ケース１ａの下部開口縁に電源プラグ３３の先端部外形より若干大きめの切欠きを形成して収納口３０を設け、その奥にはボトムプレート１ｂから立ち上がる奥壁３４を設けて一種袋状に収納部３１を形成し、この収納部３１に電源コード３２の終端にある電源プラグ３３の先端部を収めるようにする。
【００３８】
上記収納口３０の上下縁には対向する突起３５，３６を形成し、電源プラグ３３が容易に抜けないようにする。各突起３５，３６は、手前側にＲ（丸み）を付け、奥側は略垂直になるように形成する。このように、突起３５，３６の手前側にＲをつけることにより、電源プラグ３３の差し込み時に入れやすくなり、奥側を略垂直とすることにより、抜けにくくなる。
【００３９】
それに加えて、収納口３０を形成した本体ケース１ａ側壁と奥壁３４との間に、本体ケース１ａから垂下するリブ３７を設ける。このリブ３７は、図９〜図１１に示すように電源プラグ３３の水平挿入状態時に、電源プラグ３３の端子刃３３ａの上部水平面よりもリブ３７下端が上に位置するように形成する。このリブ３７下端が電源プラグ３３の端子刃３３ａの上部水平面より下に位置した場合、電源プラグ３３を収納口３０に差し込むときに、リブ３７に端子刃３３ａが当たって奥まで行きにくくなる。その対策として、リブ３７下端の高さは端子刃３３ａの上部水平面より上方に位置した方が電源プラグ３３を差し込み易くなる。
【００４０】
また、図１１に示すように、端子刃３３ａの先端部とリブ３７との間隔Ａと端子刃３３ａの全長Ｂとの関係から、リブ３７を端子刃３３ａの全長Ｂの中央近傍付近より前方に位置させた。このようなリブ３７を設けることにより、電源プラグ３３が容易に収納口３０から抜けるのを防止する。すなわち、リブ３７の位置が収納口３０に近くになればなるほど、後述の図１２に示すように電源プラグ３３が傾いた場合にリブ３７下端の高さが同じであれば電源プラグ３３の傾きが大きくなる。そのため、抜けない傾きを維持しようとした場合、リブ３７の位置が手前になるほどリブ３７下端の高さが下がり、前述したように電源プラグ３３を差し込む時に端子刃３３ａがリブ３７に当たりやすくなり、使い勝手が悪くなる。
【００４１】
また、図１１において、上下の突起３５，３６間の間隔Ｃは、電源プラグ３３先端部の最大寸法Ｄと最小寸法Ｅの間，すなわちＥ＜Ｃ＜Ｄの関係となるように設定する。このように設定することにより、電源プラグ３３を真っ直ぐに引っ張っても容易には抜けなくなる。このときの電源プラグ３３の最大寸法Ｄは、電源プラグ３３の先端部に表示された刻印によってできる高さであっても良い。
【００４２】
さらに、図１１に示すように、電源プラグ３３が突起３５，３６と接触するところに位置するとき（一番手前に引っ張ったとき）、電源プラグ３３の端子刃３３ａと奥壁３４との隙間Ｆが微小，すなわち０より大きくかつ余り大きくならないように設定する。このＦ寸法が大きくなると、ガタつきが大きくなり、電源プラグ３３が抜けやすくなる。
【００４３】
また、図１２に示すように、下側の突起３６を支点に電源プラグ３３の手前側が下に傾いた場合、端子刃３３ａが前述のリブ３７に当たって傾きが制限される。この時、図中の寸法関係がＧ＜Ｈとなる関係の時、ガタついても電源プラグ３３は先に上側の突起３５に当たって下側の突起３６に電源プラグ３３の先端部３３ｂが引っ掛かってしまい電源プラグ３３は抜けない。これは、電源プラグ３３が電源コード３２の自重で下に傾くため、通常状態において効果を発揮する。
【００４４】
その逆に、図１３に示すように、上側の突起３５を支点として電源プラグ３３の手前側が上に傾いた場合、先ほどとは異なり、傾きを規制するものはないため、電源プラグ３３の先端部３３ｂ下側は容易に下側の突起３６を越えることができる。この時、図中の寸法関係はＧ’＜＜Ｈ’＝∞（下側が突起３６を越えて規制するものがなくなるため無限大）となり、電源プラグ３３を収納口３０から容易に抜くことができる。これは、電源プラグ３３を抜くとき手前側を上に持ち上げるようにするため、電源プラグ３３を抜くときに効果を発揮する。
【００４５】
また、本実施形態で使用する電源プラグ３３の先端部には段差があるが、図１４に拡大図示したように段差３３ｃがテーパ状に形成されているので、図１３に示すようにして電源プラグ３３を抜くときには、上側の突起３５が段差３３ｃのテーパ面に沿って滑るため、抜きやすくなる。
【００４６】
また、本実施形態においては、上記収納部３１の底面側のボトムプレート１ｂに水抜き孔３８を形成している。上述したように本体ケース１ａが形成されると、電源プラグ３３の収納口３０が開いていることにより、外側より水が入りやすくなるため、収納部３１底面に水抜き孔３８を設けることで、収納口３０から収納部３１内入った水分を容易に外部に排出することができる。
【００４７】
以上のように、本実施形態によれば、簡易な構造で電源プラグ３３の収納や引き抜きができるようになる。また、別部品を使用しないのでコストが抑えられる。さらに、本体１の外表面に突起物もないので、外観が損なわれることがなく、清掃時にも容易に清掃できる。
【００４８】
なお、上記実施形態では上側にのみリブ３７を設けたが、下側にもリブを設けるようにすれば、下方向のガタつきを抑えることができる。この場合、上側のリブ３７より手前に設けることにより、抜くときの影響を小さくできる。
【００４９】
また、図１５に示すように、電源プラグ３３の端子刃３３ａが奥壁３４に当たる前に、電源プラグ３３の先端部３３ｂが当たる位置に位置決めリブ３９を設けると、奥壁３４が電源プラグ３３の端子刃３３ａによって傷つくのを防止することができる。
【００５０】
また、これらのリブ３７，３９等の先端部の手前側にＲをつけるようにすれば、電源プラグ３３が更に差し込みやすくなる。
【００５１】
【発明の効果】
以上のように本願発明のブレーカ復帰装置によれば、モータが過負荷状態になった際に通電を遮断するブレーカの復帰用操作部を、モータの駆動を停止する切操作部の操作に連動して操作する連動機構を備えたことにより、リセットボタン等が不要となるので部品点数が少なくて済み、切操作部を操作するだけでよいので操作が簡単で、使用者の使い勝手も向上する等の効果が得られる。
【００５２】
一方、本願発明の調理器によれば、モータを内蔵する本体と、この本体から露出する入操作部と切操作部を有してモータを駆動停止するスイッチ機構と、モータが過負荷状態になった際に通電を遮断すると共に復帰用操作部を有するブレーカと、前記切操作部の操作に連動してブレーカの復帰用操作部を操作する連動機構とを備えたことにより、上記同様、リセットボタン等が不要となるので部品点数が少なくて済み、切操作部を操作するだけでよいので操作が簡単で、使用者の使い勝手も向上する等の効果が得られる。
【００５３】
また、前記入操作部を操作状態に保持すると共に切操作部の操作によって入操作部の操作状態が解除されるロック手段を有するものであっても、安全で確実にブレーカを復帰させることができる。
【００５４】
さらに、前記ブレーカを前記スイッチ機構のスイッチベースに取り付けたことにより、本体への取り付け時にブレーカの取付位置の調整等が不要となるので、本体の組み立てが容易になる。
【００５５】
また、前記ブレーカを前記切操作部の脚部の近傍に取り付け、切操作部の脚部にブレーカの復帰用操作部を押圧する押圧部を形成したことにより、簡単な構造で部品点数も極めて少なくて済み、省スペースかつ安価に実現できる。また、切操作部の押圧操作でブレーカの復帰用操作部を直接押圧することができるので、動作がより確実になる。
【００５６】
また、前記本体を略円錐台状に形成し、その側面から入操作部と切操作部が露出するように本体内に取り付けられたスイッチ機構の下部空間に前記ブレーカを配置したことにより、スイッチ機構の下部空間を有効利用しているので、装置の小型化にとって有利となる。
【図面の簡単な説明】
【図１】本願発明に関する実施形態としてのミキサーを示す正面図。
【図２】上記図１のＡ−Ａ断面図。
【図３】上記図２の要部拡大図。
【図４】上記図２においてブレーカの復帰操作が行われた状態を示す要部拡大図。
【図５】同じく、ブレーカの復帰操作を切ボタン位置の縦断面で示す要部拡大図。
【図６】上記実施形態のスイッチユニットの正面図。
【図７】同じく、スイッチユニットの要部縦断面図。
【図８】上記ミキサーの電源コード側を示す斜視図。
【図９】同じく、その収納部を示すための縦断面図。
【図１０】上記図９の要部拡大図。
【図１１】同じく、各部の寸法関係を示すための要部拡大図。
【図１２】同じく、電源プラグの手前側が下に傾斜した状態を示す要部拡大図。
【図１３】同じく、電源プラグの手前側が上に傾斜した状態を示す要部拡大図。
【図１４】収納口に形成された突起と電源プラグの先端部を示す要部拡大図。
【図１５】他の実施形態を示す要部拡大図。
【符号の説明】
１  本体
２  モータ
３  ボトル台
６  ミキサーボトル
９  カッター
１２  スイッチユニット（スイッチ機構）
１３ａ  切ボタン
１３ｂ  入ボタン
１３ｃ  フラッシュボタン
１４ａ〜１４ｃ  脚部
１６  ロックレバー
１６ａ〜１６ｃ  傾斜部
１６ｄ  凹部
１７ａ〜１７ｃ  突部
１８  スイッチベース
１９  ブレーカ
２０  復帰用ボタン
２１  突起（押圧部）
３０  収納口
３１  収納部
３２  電源コード
３３  電源プラグ
【図１】
2004254982.tif 000003
【図２】
2004254982.tif 000004
【図３】
2004254982.tif 000005
【図４】
2004254982.tif 000006
【図５】
2004254982.tif 000007
【図６】
2004254982.tif 000008
【図７】
2004254982.tif 000009
【図８】
2004254982.tif 000010
【図９】
2004254982.tif 000011
【図１０】
2004254982.tif 000012
【図１１】
2004254982.tif 000013
【図１２】
2004254982.tif 000014
【図１３】
2004254982.tif 000015
【図１４】
2004254982.tif 000016
【図１５】
2004254982.tif 000017